(57)【特許請求の範囲】
【請求項１】
ネットワーク及び放送波のうちいずれか１つ以上を用いて、複数の映像情報が提供される番組の放送信号を受信する受信手段と、
前記受信手段が受信した前記放送信号に基づいて、前記複数の映像情報のうち、いずれか１つの映像情報を表示する表示手段と、
前記放送信号から抽出される前記複数の映像情報に関する情報と、当該表示制御装置に連動可能な通信端末と、に基づいて、前記表示手段が表示する映像情報と、当該映像情報を前記表示手段が表示する際に前記通信端末が表示する映像情報と、を対応付けた対応情報を生成する生成手段と、
前記表示手段が表示している前記映像情報から、前記複数の映像情報のうち他の映像情報に切り替える操作を受け付ける受付手段と、
前記受付手段が前記他の映像情報に切り替える操作を受け付けた場合に、前記複数の映像情報のうちいずれか１つを表示している通信端末に対して、前記他の映像情報と前記対応情報で対応付けられている前記映像情報を表示させる命令を、送信する送信手段と、
を備える表示制御装置。
【請求項２】
前記表示手段は、さらに、前記複数の映像情報のうちいずれか１つを前記通信端末に表示させるか否かを示した選択項目を表示し、
前記受付手段は、前記選択項目から、前記通信端末に表示させるか否かの選択を受け付け、
前記送信手段は、前記受付手段が前記通信端末に表示させる選択を受け付けた場合に、当該通信端末に対して、前記複数の映像情報のうち前記表示手段に表示されている映像情報とは異なる映像情報を表示させる命令を送信する、
請求項１に記載の表示制御装置。
【請求項３】
前記送信手段は、表示させる命令と共に、前記放送信号から抽出された、前記他の映像情報と異なる映像情報の取得先を示したアドレス情報を送信する、
請求項１又は２に記載の表示制御装置。 
【請求項４】
前記受信手段は、前記放送信号に含まれている、前記複数の映像情報を受信し、
前記送信手段は、前記受付手段が前記他の映像情報に切り替える操作を受け付けた場合に、前記通信端末に対して、前記複数の映像情報のうち前記他の映像情報と異なる映像情報を送信する、
請求項１乃至３のいずれか一つに記載の表示制御装置。 
【請求項５】
前記送信手段は、前記通信端末に対して、映像情報を表示する際に音を出力しない命令を送信する、
請求項１乃至４のいずれか一つに記載の表示制御装置。 
【請求項６】
表示制御装置で実行される表示制御方法であって、
受信手段が、ネットワーク及び放送波のうちいずれか１つ以上を用いて、複数の映像情報が提供される番組の放送信号を受信する受信ステップと、
表示手段が、前記受信ステップが受信した前記放送信号に基づいて、前記複数の映像情報のうち、いずれか１つの映像情報を表示する表示ステップと、
生成手段が、前記放送信号から抽出される前記複数の映像情報に関する情報と、前記表示制御装置に連動可能な通信端末と、に基づいて、前記表示手段が表示する映像情報と、当該映像情報を前記表示手段が表示する際に前記通信端末が表示する映像情報と、を対応付けた対応情報を生成する生成ステップと、
受付手段が、前記表示ステップが表示している前記映像情報から、前記複数の映像情報のうち他の映像情報に切り替える操作を受け付ける受付ステップと、
送信手段が、前記受付ステップが前記他の映像情報に切り替える操作を受け付けた場合に、前記複数の映像情報のうちいずれか１つを表示している通信端末に対して、前記他の映像情報と前記対応情報で対応付けられている前記映像情報を表示させる命令を、を送信する送信ステップと、
を含む表示制御方法。
【発明の詳細な説明】
【技術分野】
【０００１】
本発明の実施形態は、表示制御装置、及び表示制御方法に関する。
【背景技術】
【０００２】
従来、放送と、ネットワークを介して配信されるストリームデータとを、連動させるサービスが提案されている。連動の態様としては、例えば、放送波及びインターネットを介して、１つの番組で複数の映像を配信するマルチビュー放送（マルチビューサービス）が提案されている。
【０００３】
マルチビューサービスでは、テレビジョン放送受信端末の表示部に、主映像及び副映像を、いわゆるピクチャーｉｎピクチャー形式で同時に表示することが提案されている。
【先行技術文献】
【特許文献】
【０００４】
【特許文献１】特開２００２−３１４９６０号公報
【非特許文献】
【０００５】
【非特許文献１】"Hybridcast技術仕様概説"、[online]、2011年5月27日版、日本放送協会放送技術研究所、[平成24年4月16日検索]、インターネット<URL:http://www.nhk.or.jp/strl/hybridcast/HCsummary.pdf>
【発明の概要】
【発明が解決しようとする課題】
【０００６】
しかしながら、従来技術においては、１つのテレビジョン放送受信端末で複数の映像を表示することに留まっており、他の端末で連動して複数の映像を表示することは想定されていない。仮に従来の手法を用いて複数の端末を連動したとしても、複数の端末それぞれに対して操作が必要になるため、操作負担が大きくなる。
【０００７】
本発明は、上記に鑑みてなされたものであって、マルチビュー放送で他の装置との連動時の操作負担を軽減する表示制御装置、及び表示制御方法を提供する。
【課題を解決するための手段】
【０００８】
実施形態の表示制御装置は、受信手段と、表示手段と、生成手段と、受付手段と、送信手段と、を備える。受信手段が、ネットワーク及び放送波のうちいずれか１つ以上を用いて、複数の映像情報が提供される番組の放送信号を受信する。生成手段が、放送信号から抽出される複数の映像情報に関する情報と、当該表示制御装置に連動可能な通信端末と、に基づいて、表示手段が表示する映像情報と、当該映像情報を表示手段が表示する際に通信端末が表示する映像情報と、を対応付けた対応情報を生成する。表示手段が、受信手段が受信した放送信号に基づいて、複数の映像情報のうち、いずれか１つの映像情報を表示する。受付手段が、表示手段が表示している映像情報から、複数の映像情報のうち他の映像情報に切り替える操作を受け付ける。送信手段が、受付手段が他の映像情報に切り替える操作を受け付けた場合に、複数の映像情報のうちいずれか１つを表示している通信端末に対して、他の映像情報と対応情報で対応付けられている映像情報を表示させる命令を、送信する。
【図面の簡単な説明】
【０００９】
【図１】図１は、第１の実施形態にかかるマルチビュー配信システムを示したブロック図である。
【図２】図２は、第１の実施形態にかかるデジタルテレビジョン放送受信端末の主要な信号処理系を示すブロック図である。
【図３】図３は、第１の実施形態にかかる映像制御アプリケーションの機能ブロックを示した図である。
【図４】図４は、第１の実施形態にかかる対応関係管理テーブルのテーブル構造を示した図である。
【図５】図５は、第１の実施形態にかかるデジタルテレビジョン放送受信端末及び第１の通信端末による表示態様の例を示した図である。
【図６】図６は、デジタルテレビジョン放送受信端末において、連動モードを示す選択項目が選択された場合に表示するモード登録画面の例を示した図である。
【図７】図７は、第１の実施形態にかかる第１の通信端末のソフトウェア構成を示したブロック図である。
【図８】図８は、第１の実施形態にかかるデジタルテレビジョン放送受信端末と第１の通信端末との間の連動を開始した際の処理の手順を示すフローチャートである。
【図９】図９は、第１の実施形態にかかるデジタルテレビジョン放送受信端末が映像情報を切り替える際の処理の手順を示すフローチャートである。
【図１０】図１０は、第１の実施形態にかかるデジタルテレビジョン放送受信端末と第１の通信端末との間の連動を解除した際の処理の手順を示すフローチャートである。
【図１１】図１１は、第１の実施形態の変形例にかかるデジタルテレビジョン放送受信端末及び第１の通信端末による表示態様の例を示した図である。
【発明を実施するための形態】
【００１０】
（第１の実施形態）
図１は、第１の実施形態にかかるマルチビュー配信システムを示したブロック図である。図１に示す例では、マルチビュー配信の番組１つに、主映像情報、第１の副映像情報、及び第２の副映像情報が含まれている。図１に示す例では、放送局１５０が、任意の番組の主映像情報を含む放送信号を、デジタルテレビジョン放送受信端末１００に対して配信する。一方、放送局１５０は、当該任意の番組の、主映像情報、第１の副映像情報、及び第２の副映像情報を、配信サーバ１５１に提供する。そして、配信サーバ１５１が、放送局１５０が提供する放送信号に含まれている主映像情報に連動するように、主映像情報、第１の副映像情報、及び第２の副映像情報を、ＩＰ通信網１６０を介して配信する。なお、放送信号は、衛星デジタルテレビジョン放送信号又は地上デジタルテレビジョン放送信号のどちらであっても良い。
【００１１】
これにより、デジタルテレビジョン放送受信端末１００、第１の通信端末１１１、及び第２の通信端末１１２は、ＬＡＮルータ１６１を介して、主映像情報、第１の副映像情報、及び第２の副映像情報のうちいずれか１つ以上を受信し、表示することができる。なお、第１の通信端末１１１、及び第２の通信端末１１２とＬＡＮルータ１６１との間の接続は、無線又は有線とする。
【００１２】
そして、デジタルテレビジョン放送受信端末１００と第１の通信端末１１１との間は、無線又は有線により接続されている。そして、デジタルテレビジョン放送受信端末１００が映像情報を切り替えた場合に、必要に応じて、第１の通信端末１１１に対して映像情報を切り替える命令を送信する。
【００１３】
同様に、デジタルテレビジョン放送受信端末１００と第２の通信端末１１２との間は、無線又は有線により接続されている。そして、デジタルテレビジョン放送受信端末１００が映像情報を切り替えた場合に、必要に応じて、第２の通信端末１１２に対して映像情報を切り替える命令を送信する。
【００１４】
なお、本実施形態では、放送局１５０が主映像信号を放送信号に含めて配信し、配信サーバ１５１が主映像情報、第１の副映像情報、及び第２の副映像情報を、ネットワークを介して配信する例とするが、このような例に制限するものではない。例えば、放送信号を用いずに、ネットワークのみで主映像情報、第１の副映像情報、及び第２の副映像情報を配信しても良いし、放送信号に主映像情報、第１の副映像情報、及び第２の副映像情報を含めても良い。つまり、映像情報を表示する端末それぞれが、複数の映像情報を表示可能な配信形態であれば、どのような形態であっても良い。
【００１５】
続いて、デジタルテレビジョン放送受信端末１００のハードウェア構成について説明する。図２は、上記したデジタルテレビジョン放送受信端末１００の主要な信号処理系を示すブロック図である。
【００１６】
ＢＳ／ＣＳデジタル放送受信用のアンテナ１２１で受信した衛星デジタルテレビジョン放送信号は、入力端子２０１を介して衛星デジタル放送用のチューナ２０２ａに供給される。
【００１７】
チューナ２０２ａは、制御部２０５からの制御信号により所望のチャネルの放送信号を選局し、この選局された放送信号をＰＳＫ（Ｐｈａｓｅ  Ｓｈｉｆｔ  Ｋｅｙｉｎｇ）復調器２０２ｂに出力する。
【００１８】
ＰＳＫ復調器２０２ｂは、制御部２０５からの制御信号により、チューナ２０２ａで選局された放送信号を復調し、所望の番組を含んだトランスポートストリーム（ＴＳ）を得て、ＴＳ復号器２０２ｃに出力する。
【００１９】
ＴＳ復号器２０２ｃは、制御部２０５からの制御信号によりトランスポートストリーム（ＴＳ）多重化された信号のＴＳ復号処理を行い、所望の番組のデジタルの映像信号及び音声信号をデパケットすることにより得たＰＥＳ（Ｐａｃｋｅｔｉｚｅｄ  Ｅｌｅｍｅｎｔａｒｙ  Ｓｔｒｅａｍ）を信号処理部２０６内のＳＴＤバッファ（図示せず）へ出力する。また、ＴＳ復号器２０２ｃは、デジタル放送により送られているセクション情報を信号処理部２０６内のセクション処理部（図示せず）へ出力する。
【００２０】
地上波放送受信用のアンテナ１２２で受信した地上デジタルテレビジョン放送信号は、入力端子２０３を介して地上デジタル放送用のチューナ２０４ａに供給される。
【００２１】
チューナ２０４ａは、制御部２０５からの制御信号により所望のチャネルの放送信号を選局可能とする。チューナ２０４ａは、放送信号をＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）復調器２０４ｂに出力する。
【００２２】
本実施形態にかかるチューナ２０２ａ及びチューナ２０４ａは、アンテナ１２１又はアンテナ１２２を介して、チャネルの放送信号として、複数の映像情報を提供するマルチビュー配信の放送信号を受信する。なお、マルチビュー配信の放送信号には、複数の映像情報が全て含まれている必要はなく、例えば映像情報としては主映像情報のみ含まれ、副映像情報については取得先のアドレス情報のみ埋め込まれていても良い。
【００２３】
ＯＦＤＭ復調器２０４ｂは、制御部２０５からの制御信号により、チューナ２０４ａで選局された放送信号を復調し、所望の番組を含んだトランスポートストリームを得て、ＴＳ復号器２０４ｃに出力する。
【００２４】
ＴＳ復号器２０４ｃは、制御部２０５からの制御信号によりトランスポートストリーム（ＴＳ）多重化された信号のＴＳ復号処理を行い、所望の番組のデジタルの映像信号及び音声信号をデパケットすることにより得たＰＥＳ（Ｐａｃｋｅｔｉｚｅｄ  Ｅｌｅｍｅｎｔａｒｙ  Ｓｔｒｅａｍ）を信号処理部２０６内のＳＴＤバッファへ出力する。また、ＴＳ復号器２０４ｃは、デジタル放送により送られているセクション情報を信号処理部２０６内のセクション処理部へ出力する。
【００２５】
信号処理部２０６は、テレビ視聴時には、ＴＳ復号器２０２ｃおよびＴＳ復号器２０４ｃからそれぞれ供給されたデジタルの映像信号及び音声信号に対して、選択的に所定のデジタル信号処理を施し、グラフィック処理部２０７及び音声処理部２０８に出力している。一方、番組録画時には、ＴＳ復号器２０２ｃおよびＴＳ復号器２０４ｃからそれぞれ供給されたデジタルの映像信号及び音声信号に対して、選択的に所定のデジタル信号処理を施した信号を、制御部２０５を介して記憶装置（例えば、ＨＤＤ）２７０に記録している。また、信号処理部２０６は、録画番組再生時には、制御部２０５を介して記憶装置（例えば、ＨＤＤ）２７０から読み出された録画番組のデータに、所定のデジタル信号処理を施し、グラフィック処理部２０７及び音声処理部２０８に出力している。
【００２６】
制御部２０５には、信号処理部２０６から、番組を取得するための各種データ（Ｂ−ＣＡＳデスクランブル用の鍵情報等）や電子番組ガイド（ＥＰＧ）情報，番組属性情報（番組ジャンル等），字幕情報等（サービス情報、ＳＩやＰＳＩ）が入力されている。制御部２０５は、これら入力された情報からＥＰＧ，字幕を表示するため画像生成処理を行い、この生成した画像情報をグラフィック処理部２０７へ出力する。
【００２７】
また、この制御部２０５は、番組録画および番組予約録画を制御する機能を有し、番組予約受付時には、外部の表示装置（例えば、デジタルテレビジョン放送受像器）に電子番組ガイド（ＥＰＧ）情報を表示し、操作部２２０またはリモートコントローラ２２１を介した視聴者の入力により予約内容を所定の記憶手段に設定する。そして、設定された時刻に予約番組を録画するようチューナ２０２ａ，２０４ａ、ＰＳＫ復調器２０２ｂ、ＯＦＤＭ復調器２０４ｂ、ＴＳ復号器２０２ｃ，２０４ｃおよび信号処理部２０６を制御する。
【００２８】
セクション処理部は、ＴＳ復号器２０２ｃ（２０４ｃ）から入力されたセクション情報の中から、番組を取得するための各種データや電子番組ガイド（ＥＰＧ）情報，番組属性情報（番組ジャンル等），字幕情報等（サービス情報、ＳＩやＰＳＩ）を制御部２０５へ出力する。
【００２９】
グラフィック処理部２０７は、（１）信号処理部２０６内のＡＶデコーダ（図示せず）から供給されるデジタルの映像信号と、（２）ＯＳＤ（Ｏｎ  Ｓｃｒｅｅｎ  Ｄｉｓｐｌａｙ）信号生成部２０９で生成されるＯＳＤ信号と、（３）データ放送による画像データと、（４）制御部２０５により生成されたＥＰＧ，字幕信号とを合成して映像処理部２１０へ出力する機能を有する。
【００３０】
また、字幕放送による字幕を表示するとき、グラフィック処理部２０７は、制御部２０５からの制御による字幕情報に基づき、映像信号上に字幕情報を重畳する処理を行う。
【００３１】
グラフィック処理部２０７から出力されたデジタルの映像信号は、映像処理部２１０に供給される。この映像処理部２１０は、入力されたデジタルの映像信号を、表示部２１４又は出力端子２１１を介して接続された外部機器で表示可能なフォーマットのアナログ映像信号に変換した後、出力端子２１１又は表示部２１４に出力して映像表示させる。
【００３２】
また、上記音声処理部２０８は、入力されたデジタルの音声信号を、スピーカ２１３で再生可能なフォーマットのアナログ音声信号に変換した後、出力端子２１２を介して接続された外部機器又はスピーカ２１３に出力して音声再生させる。
【００３３】
ここで、このデジタルテレビジョン放送受信端末１００は、上記した各種の受信動作を含むその全ての動作を制御部２０５によって統括的に制御されている。この制御部２０５は、ＣＰＵ（Ｃｅｎｔｒａｌ  Ｐｒｏｃｅｓｓｉｎｇ  Ｕｎｉｔ）等を内蔵しており、操作部２２０からの操作情報を受け、または、リモートコントローラ２２１から送出された操作情報を、受光部２２２を介して受信し、その操作内容が反映されるように各部をそれぞれ制御している。
【００３４】
この場合、制御部２０５は、主として、そのＣＰＵが実行する制御プログラムを格納したＲＯＭ（Ｒｅａｄ  Ｏｎｌｙ  Ｍｅｍｏｒｙ）２０５ａと、当該ＣＰＵに作業エリアを提供するＲＡＭ（Ｒａｎｄｏｍ  Ａｃｃｅｓｓ  Ｍｅｍｏｒｙ）２０５ｂと、各種の設定情報及び制御情報等が格納される不揮発性メモリ２０５ｃとを利用している。
【００３５】
また、この制御部２０５は、カードＩ／Ｆ（Ｉｎｔｅｒｆａｃｅ）２２３を介して、メモリカード２２４が装着可能なカードホルダ２２５に接続されている。これによって、制御部２０５は、カードホルダ２２５に装着されたメモリカード２２４と、カードＩ／Ｆ２２３を介して情報伝送することができる。
【００３６】
さらに、上記制御部２０５は、通信Ｉ／Ｆ２３１を介して第１のＬＡＮ端子２３２に接続されている。これにより、制御部２０５は、第１のＬＡＮ端子２３２に接続されたＬＡＮ対応の機器と、通信Ｉ／Ｆ２３１を介して情報伝送することができる。
【００３７】
また、上記制御部２０５は、ＵＳＢ  Ｉ／Ｆ２３３を介してＵＳＢ端子２３４に接続されている。これにより、制御部２０５は、ＵＳＢ端子２３４に接続された各種機器（例えば、外付けハードディスク装置）と、ＵＳＢ  Ｉ／Ｆ２３３を介して情報伝送することができる。
【００３８】
デジタルテレビジョン放送受信端末１００の制御部２０５は、映像制御アプリケーション２５０を備えている。そして、制御部２０５のＣＰＵが、映像制御アプリケーション２５０を読み込むことで、ＲＡＭ２０５ｂ上に、映像制御アプリケーション２５０の各構成が実現される。図３は、映像制御アプリケーション２５０の機能ブロックを示した図である。なお、図２の構成要素と共通する部分には同一の符号を付している。
【００３９】
図３に示す様に、映像制御アプリケーション２５０は、表示制御部３０１と、抽出部３０２と、生成部３０３と、操作受付部３０４と、端末通信制御部３０５と、を備える。さらに、図３に示す様に、記憶装置２７０は、対応関係管理テーブル３５０を備えている。
【００４０】
まず、チューナ２０２ａ及びチューナ２０４ａが受信した、マルチビュー配信されている番組の放送信号に含まれている様々な制御情報が、映像制御アプリケーション２５０に入力される。なお、本実施形態では、放送信号に制御情報が含まれている例について説明するが、配信サーバ１５１から制御情報を取得しても良い。
【００４１】
抽出部３０２は、入力された制御情報から、当該番組が提供する複数の映像情報に関する情報を抽出する。抽出する情報としては、例えば、映像情報の取得先（当該映像情報の配信先を示すＵＲＬや、放送波のService＿id）等がある。
【００４２】
生成部３０３は、放送信号から抽出された複数の映像情報に関する情報と、デジタルテレビジョン放送受信端末１００と連動可能な通信端末と、に基づいて、表示部２１４が表示する映像情報と、当該映像情報を表示部２１４が表示する際に当該通信端末が表示する映像情報と、を対応付けた対応関係管理テーブル３５０を生成する。なお、本実施形態では、デジタルテレビジョン放送受信端末１００と連動可能な通信端末は、予めデジタルテレビジョン放送受信端末１００に登録されているものとする。
【００４３】
そして、生成された対応関係管理テーブル３５０は、記憶装置２７０に記憶される。図４は、対応関係管理テーブル３５０のテーブル構造を示した図である。本実施形態では、マルチビュー配信として、主映像情報、第１の副映像情報、及び第２の副映像情報が含まれ、連動可能な通信端末が２台ある場合について説明するが、このような実施態様に制限するものではない。例えば、副映像情報が１種類、又は３種類以上であっても良いし、連動可能な通信端末が１台又は３台以上存在しても良い。
【００４４】
図４に示す様に、対応関係管理テーブル３５０は、マスター（デジタルテレビジョン放送受信端末１００）が表示する映像情報と、第１のスレーブ（第１の通信端末１１１）が表示する映像情報と、第２のスレーブ（第１の通信端末１１２）が表示する映像情報と、を対応付けて記憶している。また、対応関係管理テーブル３５０には、映像情報毎に、抽出部３０２により抽出された、各種映像情報の取得先を識別する（放送波の）Service＿id又はＵＲＬが格納されている。これにより、各映像情報の取得先を特定できる。
【００４５】
映像情報の取得先は、デジタルテレビジョン放送受信端末１００が映像情報を表示する際に利用される。さらには、映像情報の取得先は、連動可能な通信端末に当該映像情報を表示するために送信される。
【００４６】
そして、デジタルテレビジョン放送受信端末１００では、デジタルテレビジョン放送受信端末１００が表示する映像情報が切り替えられた場合に、対応関係管理テーブル３５０を参照することで、第１の通信端末１１１及び第２の通信端末１１２が表示する映像情報を特定できる。
【００４７】
表示制御部３０１は、放送信号に基づいて、主映像情報、第１の副映像情報、及び第２の副映像情報のうち、いずれか１つの映像情報を表示部２１４に表示する。このように、表示部２１４に表示される映像情報は、放送信号に含まれている主映像情報に制限するものではなく、放送信号に含まれているＵＲＬから配信された第１の副映像情報、又は第２の副映像情報でもよい。
【００４８】
端末通信制御部３０５は、連動している通信端末（例えば、第１の通信端末１１１、第２の通信端末１１２）に対して、映像情報を表示するための情報を送信する。送信する情報としては、例えば、表示する映像情報の配信元を示したＵＲＬ等とする。
【００４９】
端末通信制御部３０５が、連動している通信端末に送信する映像情報のＵＲＬ等は、表示部２１４が表示する映像情報と、対応関係管理テーブル３５０と、に基づいて定められる。
【００５０】
操作受付部３０４は、リモートコントローラ２２１を介して、ユーザの操作を受け付ける。
【００５１】
図５は、本実施形態にかかるデジタルテレビジョン放送受信端末１００及び第１の通信端末１１１による表示態様の例を示した図である。図５に示す様に、本実施形態では、デジタルテレビジョン放送受信端末１００が１の映像情報（例えば、主映像情報）を表示し、第１の通信端末１１１が他の映像情報（例えば、第１の副映像情報）を表示する。
【００５２】
つまり、従来は、デジタルテレビジョン放送受信端末が、ピクチャーｉｎピクチャー形式等により、複数の映像情報を１つの画面に同時に表示していたが、現在、様々な携帯可能な通信端末が普及している。そこで、本実施形態では、これらの通信端末を用いて、マルチビューサービスの主／副映像を同時に表示することを実現した。
【００５３】
図５に示す例では、デジタルテレビジョン放送受信端末１００は、表示部２１４に主映像情報を表示している。その際に、デジタルテレビジョン放送受信端末１００は、主映像を表示している表示領域内に、主映像であることを示すマーク５０１を表示する。
【００５４】
さらに、デジタルテレビジョン放送受信端末１００は、表示領域内に、第１の副映像情報に切り替えるための選択項目（第１の副映像）５０２と、第２の副映像に切り替えるための選択項目（第２の副映像）５０３と、通信端末と連動して映像情報を表示させるか否かを示した選択項目（連動モードをＯＮ）５０４と、連動対象となる通信端末等を登録するための選択項目（連動モード登録）５０５と、を表示する。
【００５５】
そして、ユーザは、例えば、リモートコントローラ２２１に配置されたボタンのうち、矢印キーや決定キーを用いたり予め割り付けられたカラーキーを使って上述した選択項目に対応するボタンの押下を行うことで、各選択項目を選択できる。
【００５６】
図５に示す例では、操作受付部３０４が、選択項目（連動モードをＯＮ）５０４について、当該映像情報を表示させる旨の選択を受け付けているものとする。これにより、第１の通信端末１１１は、デジタルテレビジョン放送受信端末１００と連動し、第１の副映像情報を表示する。
【００５７】
例えば、操作受付部３０４が、選択項目（連動モードをＯＮ）５０４について、当該映像情報を表示させる旨の選択を受け付けた際に、端末通信制御部３０５が、第１の通信端末１１１に対して、表示部２１４に表示されている映像情報と異なる映像情報を表示させる命令を送信する。なお、第１の通信端末１１１に表示させる映像情報は、映像制御アプリケーション２５０が対応関係管理テーブル３５０を参照して特定する。
【００５８】
また、操作受付部３０４は、選択項目５０２又は選択項目５０３の選択を受け付けることで、表示部２１４が表示している映像情報（主映像情報）から、他の映像情報（第１の副映像情報又は第２の副映像情報）に切り替える操作を受け付ける。
【００５９】
そして、端末通信制御部３０５は、操作受付部３０４が他の映像情報に切り替える操作を受け付けた場合に、通信端末（例えば第１の通信端末１１１又は第２の通信端末１１２）に対して、当該他の映像情報と異なる映像情報を表示させる命令を送信する。この異なる映像情報は、対応関係管理テーブル３５０に基づいて定められる。
【００６０】
例えば、選択受付部３０４が、第１の副映像を示す選択項目５０２の選択を受け付けた場合に、端末通信制御部３０５は、第１の副映像（マスター）と対応関係管理テーブル３５０で対応付けられている主映像を表示するように、第１の通信端末１１１に対して命令する。その際に、端末通信制御部３０５は、主映像情報を配信しているＵＲＬも第１の通信端末１１１に対して送信する。
【００６１】
例えば、選択受付部３０４が、第２の副映像を示す選択項目５０３の選択を受け付けた場合に、端末通信制御部３０５は、第２の副映像（マスター）と対応関係管理テーブル３５０で対応付けられている主映像を表示するように、第２の通信端末１１２に対して命令する。その際に、端末通信制御部３０５は、主映像情報を配信しているＵＲＬも第２の通信端末１１２に対して送信する。
【００６２】
このように、デジタルテレビジョン放送受信端末１００の映像情報の切り替えをトリガーとして、第１の通信端末１１１及び第２の通信端末１１２のうちいずれか１つが表示する映像情報を切り替える。
【００６３】
本実施形態では、ユーザが、リモートコントローラ２２１を操作することで、デジタルテレビジョン放送受信端末１００の映像情報を切り替えることができるが、当該切り替えに応じて、第１の通信端末１１１及び第２の通信端末１１２が表示する映像情報も切り替えられる。つまり、複数の機器を用いて複数の映像情報を同時に表示するため、従来であればユーザはそれぞれの機器に対して操作を行う必要があった。これに対して、本願実施形態では、リモートコントローラ２２１一つで、複数の機器の映像情報を操作できるため、ユーザの操作負担を軽減することができる。
【００６４】
図６は、デジタルテレビジョン放送受信端末１００において、連動モードを示す選択項目５０５が選択された場合に表示するモード登録画面の例を示した図である。図６に示す表示画面は、デジタルテレビジョン放送受信端末１００とマルチビューサービスで連動する通信端末を登録する画面とする。図６に示す画面例では、操作受付部３０４が、デジタルテレビジョン放送受信端末１００と連動する通信端末のＩＰアドレスと、音声を出力するか否かの設定と、を、スレーブ毎（第１のスレーブの欄６０１、第２のスレーブの欄６０２）に受け付ける。そして、デジタルテレビジョン放送受信端末１００は、図６に示す画面例で設定されたＩＰアドレスで示される通信端末と連動して、マルチビューを実現する。
【００６５】
また、図６に示す画面例でミュートにする設定が行われた場合に、端末通信制御部３０５は、当該設定が行われた通信端末に対して、映像情報を表示する際に音を出力しない命令を送信する。これにより、複数の装置から音声が同時に出力されることが抑止される。これにより、ユーザは、１つの音声のみ聞けば良いため、内容の把握が容易になる。
【００６６】
これらの設定が行われることで、デジタルテレビジョン放送受信端末１００は、通信端末と連動して、複数の映像情報の同時表示を実現できる。
【００６７】
この複数の映像情報の同時表示を実現するためには、連動する通信端末に、予め連係するためのアプリケーションをインストールする必要がある。
【００６８】
図７は、第１の通信端末１１１のソフトウェア構成を示したブロック図である。図７に示す様に、第１の通信端末１１１には、連動するための連動表示アプリケーション７０１がインストールされている。
【００６９】
そして、連動表示アプリケーション７０１は、マスター通信制御部７１１と、配信サーバ通信制御部７１２と、表示制御部７１３と、音声制御部７１４と、を備えている。
【００７０】
マスター通信制御部７１１は、デジタルテレビジョン放送受信端末１００との間で通信制御を行う。
【００７１】
配信サーバ通信制御部７１２は、映像情報を配信している配信サーバ１５１との間で通信制御を行う。本実施形態では、配信サーバ通信制御部７１２は、マスター通信制御部７１１が受信したＵＲＬで示される配信サーバ１５１に対して、映像情報の配信要求を送信することで、映像情報を受信できる。
【００７２】
表示制御部７１３は、配信サーバ１５１から配信された映像情報を、表示する制御を行う。
【００７３】
音声制御部７１４は、自装置から出力される音声の制御を行う。例えば、マスター通信制御部７１１が、デジタルテレビジョン放送受信端末１００から音を出力しない命令を受信した場合に、音声制御部７１４は、映像情報を表示している間、ミュートにする制御を行う。
【００７４】
次に、本実施形態にかかるマルチビュー配信システムで、デジタルテレビジョン放送受信端末１００と第１の通信端末１１１との間の連動を開始した際の処理について説明する。図８は、本実施形態にかかるデジタルテレビジョン放送受信端末１００と第１の通信端末１１１との間における上述した処理の手順を示すフローチャートである。
【００７５】
図８に示す様に、まずデジタルテレビジョン放送受信端末１００が、放送信号を受信する（ステップＳ８０１）。
【００７６】
そして、表示制御部３０１は、放送信号に含まれている主映像情報を、表示部２１４に表示の開始を制御する（ステップＳ８０２）。
【００７７】
次に、操作受付部３０４が、リモートコントローラ２２１を介して、ユーザから、連動モードをＯＮにする設定を受け付ける（ステップＳ８０３）。これにより、デジタルテレビジョン放送受信端末１００は、連動するために登録されている通信機器との間で連動するための制御を開始する（ステップＳ８０４）。例えば、デジタルテレビジョン放送受信端末１００が受信した放送信号から、抽出部３０２がマルチビュー配信に関する情報を抽出し、生成部３０３は、抽出された情報から対応関係管理テーブル３５０を生成する処理を行う。
【００７８】
その後、デジタルテレビジョン放送受信端末１００の端末通信制御部３０５が、対応関係管理テーブル３５０を参照して、連動開始する通知を、第１の通信端末１１１に対して送信する（ステップＳ８０５）。その際に、端末通信制御部３０５は、第１の通信端末１１１が表示する第１の副映像情報を配信しているＵＲＬを送信する。
【００７９】
そして、第１の通信端末１１１のマスター通信制御部７１１が連動開始の通知を受信した場合に、連動モードをＯＮにする制御を行う（ステップＳ８０６）。
【００８０】
次に、第１の通信端末１１１の配信サーバ通信制御部７１２は、第１の副映像情報配信要求を、受信したＵＲＬで示された配信サーバ１５１に対して送信する（ステップＳ８０７）。これにより、配信サーバ１５１が、第１の通信端末１１１に対して、第１の副映像情報の配信を開始する（ステップＳ８０８）。
【００８１】
そして、第１の通信端末１１１の配信サーバ通信制御部７１２が、配信サーバ１５１から、第１の副映像情報を受信する（ステップＳ８０９）。
【００８２】
その後、第１の通信端末１１１のマスター通信制御部７１１が、デジタルテレビジョン放送受信端末１００に対して、第１の副映像情報を受信したことを通知する（ステップＳ８１０）。その後、第１の通信端末１１１の表示制御部７１３が受信した第１の副映像情報を表示する（ステップＳ８１１）。
【００８３】
上述した処理手順により、ユーザがデジタルテレビジョン放送受信端末１００に対して操作を行うだけで、連動する第１の通信端末１１１の表示制御を開始することができる。なお、上述した処理手順では、第１の通信端末１１１とデジタルテレビジョン放送受信端末１００との間の制御について説明したが、第２の通信端末１１２とデジタルテレビジョン放送受信端末１００との間の制御も同様として説明を省略する。以降についても、第２の通信端末１１２は、第１の通信端末１１１と同様の処理が行われるものとする。
【００８４】
次に、本実施形態にかかるマルチビュー配信システムで、デジタルテレビジョン放送受信端末１００が映像情報を切り替える際の処理について説明する。図９は、本実施形態にかかるデジタルテレビジョン放送受信端末１００と第１の通信端末１１１との間における上述した処理の手順を示すフローチャートである。
【００８５】
まず、デジタルテレビジョン放送受信端末１００は、連動モードをＯＮにする設定を行っている（ステップＳ９０１）。このＯＮにする設定は、図８で示した処理手順で行われている。これにより対応関係管理テーブル３５０がすでに生成されている。
【００８６】
同様に、第１の通信端末１１１も、連動モードをＯＮにする設定を行っている（ステップＳ９０２）。これにより配信サーバ１５１に対して、映像情報の配信要求を送信している。
【００８７】
そして、デジタルテレビジョン放送受信端末１００の表示制御部３０１は、主映像情報を表示している（ステップＳ９０３）。第１の通信端末１１１の表示制御部７１３は、第１の副映像情報を表示している（ステップＳ９０４）。
【００８８】
次に、操作受付部３０４が、リモートコントローラ２２１を介して、ユーザから、第１の副映像情報の表示要求を受け付ける（ステップＳ９０５）。
【００８９】
そして、デジタルテレビジョン放送受信端末１００の端末通信制御部３０５が、対応関係管理テーブル３５０を参照して特定された配信サーバ１５１のＵＲＬに対して、第１の副映像情報の配信要求を送信する（ステップＳ９０６）。これにより、配信サーバ１５１が、デジタルテレビジョン放送受信端末１００に対して、第１の副映像情報の配信を開始する（ステップＳ９０７）。
【００９０】
デジタルテレビジョン放送受信端末１００の端末通信制御部３０５が、通信Ｉ／Ｆ２３１を介して、第１の副映像情報を受信する（ステップＳ９０８）。そして、表示制御部３０１が、受信した第１の副映像情報を表示部２１４に表示する制御を行う（ステップＳ９０９）。
【００９１】
次に、端末通信制御部３０５が、対応関係管理テーブル３５０を参照して、デジタルテレビジョン放送受信端末１００が第１の副映像情報を表示する場合に、第１の通信端末１１１が主映像情報を表示することを認識する。そして、端末通信制御部３０５が、第１の通信端末１１１に対して、主映像情報の表示要求を送信する（ステップＳ９１０）。その際に、端末通信制御部３０５は、主映像情報を配信している配信サーバ１５１のＵＲＬも送信する。
【００９２】
次に、第１の通信端末１１１の配信サーバ通信制御部７１２は、主映像情報配信要求を、受信したＵＲＬで示された配信サーバ１５１に対して送信する（ステップＳ９１１）。これにより、配信サーバ１５１が、第１の通信端末１１１に対して、主映像情報の配信を開始する（ステップＳ９１２）。
【００９３】
そして、第１の通信端末１１１の配信サーバ通信制御部７１２が、配信サーバ１５１から、主映像情報を受信する（ステップＳ９１３）。
【００９４】
その後、第１の通信端末１１１のマスター通信制御部７１１が、デジタルテレビジョン放送受信端末１００に対して、主映像情報を受信したことを通知する（ステップＳ９１４）。その後、第１の通信端末１１１の表示制御部７１３が受信した主映像情報を表示する（ステップＳ９１５）。
【００９５】
次に、本実施形態にかかるマルチビュー配信システムで、デジタルテレビジョン放送受信端末１００と第１の通信端末１１１との間の連動を解除した際の処理について説明する。図１０は、本実施形態にかかるデジタルテレビジョン放送受信端末１００と第１の通信端末１１１との間における上述した処理の手順を示すフローチャートである。
【００９６】
まず、デジタルテレビジョン放送受信端末１００は、連動モードをＯＮにする設定を行っている（ステップＳ１００１）。このＯＮにする設定は、図８で示した処理手順で行われている。これにより対応関係管理テーブル３５０がすでに生成されている。
【００９７】
同様に、第１の通信端末１１１も、連動モードをＯＮにする設定を行っている（ステップＳ１００２）。これにより配信サーバ１５１に対して、映像情報の配信要求を送信している。
【００９８】
次に、操作受付部３０４が、リモートコントローラ２２１を介して、ユーザから、連動モードの解除要求を受け付ける（ステップＳ１００３）。
【００９９】
これにより、デジタルテレビジョン放送受信端末１００は、連動モードをＯＦＦにする設定を行う（ステップＳ１００４）。次に、デジタルテレビジョン放送受信端末１００の端末通信制御部３０５が、第１の通信端末１１１に対して、連動モードの解除通知を送信する（ステップＳ１００５）。
【０１００】
そして、第１の通信端末１１１のマスター通信制御部７１１が連動モードの解除通知を受信した場合に、連動モードをＯＦＦにする制御を行う（ステップＳ１００６）。
【０１０１】
次に、第１の通信端末１１１の配信サーバ通信制御部７１２は、第１の副映像情報の配信停止要求を、配信サーバ１５１に対して送信する（ステップＳ１００７）。これにより、配信サーバ１５１が、第１の通信端末１１１に対して、第１の副映像情報の配信を停止し、その旨の通知を第１の通信端末１１１に送信する（ステップＳ１００８）。
【０１０２】
これにより、第１の通信端末１１１の表示制御部７１３が、第１の副映像情報の表示を停止する（ステップＳ１００９）。そして、第１の通信端末１１１のマスター通信制御部７１１が、デジタルテレビジョン放送受信端末１００に対して、映像情報の表示を停止した旨を送信する（ステップＳ１０１０）。
【０１０３】
上述した処理手順により、デジタルテレビジョン放送受信端末１００と第１の通信端末１１１との間の連動が解除される。
【０１０４】
なお、マルチビューサービスの終了手法は、ユーザから操作を受け付けた場合に制限するものではなく、デジタルテレビジョン放送受信端末１００が、マルチビューサービスの番組の終了を検出した場合に、通信端末に対して、連動モードの終了の通知を行っても良い。さらには、デジタルテレビジョン放送受信端末１００は、番組が終了する毎に、次に開始される番組がマルチビューであるか否かに拘わらず、一度連動モードを解除するための制御を行っても良い。
【０１０５】
（第１の実施形態の変形例）
第１の実施形態では、デジタルテレビジョン放送受信端末１００のリモートコントローラ２２１を操作する例について説明した。しかしながら、他の機器を用いて操作しても良い。例えば、タブレット端末である第１の通信端末１１１に、デジタルテレビジョン放送受信端末１００を操作するためにアプリケーションをインストールして、第１の通信端末１１１で操作しても良い。
【０１０６】
図１１は、本変形例にかかるデジタルテレビジョン放送受信端末１００及び第１の通信端末１１１による表示態様の例を示した図である。図１１に示す様に、本実施形態では、デジタルテレビジョン放送受信端末１００が１の映像情報（例えば、主映像情報）を表示し、第１の通信端末１１１が他の映像情報（例えば、第１の副映像情報）を表示する。そして、リモートコントローラ２２１の代わりに、第１の通信端末１１１上で実行される、デジタルテレビジョン放送受信端末１００を操作するリモートコントローラ・アプリケーション１１０１を利用することで、デジタルテレビジョン放送受信端末１００が表示する映像情報を切り替える。そして、上述した実施形態と同様に、当該切り替えに応じて、第１の通信端末１１１が表示する映像情報も切り替わる。
【０１０７】
本変形例でも、複数の機器を１つの操作端末で操作することができるので、第１の実施形態と同様の効果を得ることができる。
【０１０８】
（第２の実施形態）
第１の実施形態では、第１の通信端末１１１が表示する映像情報を、配信サーバ１５１から取得していた。しかしながら、第１の通信端末１１１に映像情報を配信する装置を、配信サーバ１５１に制限するものではない。第２の実施形態では、デジタルテレビジョン放送受信端末１００が、第１の通信端末１１１に対して映像情報を配信する場合とする。
【０１０９】
つまり、第２の実施形態では、デジタルテレビジョン放送受信端末１００が、配信サーバ１５１の機能を有している例とする。なお、構成については、第１の実施形態のデジタルテレビジョン放送受信端末１００と配信サーバ１５１とを組み合わせた構成のため、説明を省略する。
【０１１０】
そして、第２の実施形態にかかるデジタルテレビジョン放送受信端末１００では、主映像情報、第１の副映像情報、及び第２の副映像情報全てを受信している。これら映像情報は、放送波から受信しても良いし、ＩＰ通信網１６０を介して受信しても良い。
【０１１１】
そして、デジタルテレビジョン放送受信端末１００は、リモートコントローラ２２１からの操作に応じて、第１の通信端末１１１に対して配信する映像情報を切り替える。この切り替えられる映像情報は、第１の実施形態と同様のため説明を省略する。
【０１１２】
上述した実施形態及び変形例では、デジタルテレビジョン放送受信端末１００と、通信端末（第１の通信端末１１１、及び第２の通信端末１１２）との間で連動可能としたことで、複数の映像情報をそれぞれ全画面で同時表示する状態を保持しながら、容易に各端末が表示する映像情報を切り替えることができる。これにより、ユーザの操作負担を軽減することができる。
【０１１３】
上述した実施形態及び変形例では、デジタルテレビジョン放送受信端末１００と、通信端末（第１の通信端末１１１、及び第２の通信端末１１２）とで構成されるマルチビュー配信システムにおいて、デジタルテレビジョン放送受信端末１００の主／副映像選択に、通信端末（第１の通信端末１１１、及び第２の通信端末１１２）の主／副映像選択を連動させることとした。これにより、効率的で円滑なマルチビュー視聴を実現できる。
【０１１４】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１１５】
１００…デジタルテレビジョン放送受信端末、１１１…第１の通信端末、１１２…第２の通信端末、２５０…映像制御アプリケーション、２７０…記憶装置、３０１…表示制御部、３０２…抽出部、３０３…生成部、３０４…操作受付部、３０５…端末通信制御部、３５０…対応関係管理テーブル。
【図１】
0005932459.tif 000002
【図２】
0005932459.tif 000003
【図３】
0005932459.tif 000004
【図４】
0005932459.tif 000005
【図５】
0005932459.tif 000006
【図６】
0005932459.tif 000007
【図７】
0005932459.tif 000008
【図８】
0005932459.tif 000009
【図９】
0005932459.tif 000010
【図１０】
0005932459.tif 000011
【図１１】
0005932459.tif 000012